(57)【要約】【課題】  畝の形状や大きさに適応させて全体の幅方向寸法を調節自在な農業用マルチシートを提供する。【解決手段】  係合溝８を間に形成する２本の幅方向突条９を、長手方向に一定微小間隔寸法をもって突設して係止突条部10を形成する。係止突条部10を、長手方向に所定間隔をもって順次配設した帯状シート１を、複数枚具備する。複数枚の帯状シート１の長手方向の左右端縁部５を重ね合わせて、１枚の帯状シート１の係合溝８の端部に、他の１枚の帯状シート１の係止突条部10の１本の幅方向突条９の端部を係止させて、全体の幅方向寸法を調節自在として１枚のシート状に連結するように構成する。複数枚の帯状シート１の内、畝Ｇに被せた使用状態で中央寄りの帯状シート１の端縁部５が、側方寄りの隣の帯状シート１の下面７に重なるように連結させて、畝Ｇに被せた使用状態で受け口状にスリット４を形成するように構成する。【選択図】  図１
0003116023.tif 000002
【実用新案登録請求の範囲】
【請求項１】
係止部（２）を有する帯状シート（１）と、被係止部（３）を有する帯状シート（１）をもって、複数枚の帯状シート（１）を具備し、該複数枚の帯状シート（１）の長手方向の左右端縁部（５）を重ね合わせて、１枚の上記帯状シート（１）の上記被係止部（３）に、他の１枚の上記帯状シート（１）の係止部（２）を係止させて、全体を１枚のシート状に連結するように構成した農業用マルチシートであって、
帯状シート（１）の枚数の増減、又は、係止部（２）と被係止部（３）の係止位置の調節により、全体の幅方向寸法（Ｗ）を調節自在に構成したことを特徴とする農業用マルチシート。
【請求項２】
係合溝（８）を間に形成する２本の幅方向突条（９）を、長手方向に一定微小間隔寸法（ｍ）をもって突設して係止突条部（10）を形成し、該係止突条部（10）を、長手方向に所定ピッチ寸法（Ｐ1 ）をもって順次配設した帯状シート（１）を、複数枚具備し、該複数枚の帯状シート（１）の長手方向の左右端縁部（５）を重ね合わせて、１枚の上記帯状シート（１）の上記係合溝（８）の端部（８ａ）に、他の１枚の上記帯状シート（１）の上記係止突条部（10）の１本の幅方向突条（９）の端部（９ａ）を係止させて、全体の幅方向寸法（Ｗ）を調節自在として１枚のシート状に連結するように構成したことを特徴とする農業用マルチシート。
【請求項３】
係合溝（８）を間に形成する２本の幅方向突条（９）を、長手方向に一定微小間隔寸法（ｍ）をもって突設して係止突条部（10）を形成し、該係止突条部（10）を、長手方向に所定ピッチ寸法（Ｐ1 ）をもって順次配設した帯状シート（１）を、複数枚具備し、該複数枚の帯状シート（１）の長手方向の左右端縁部（５）を重ね合わせて、１枚の上記帯状シート（１）の上記係合溝（８）の端部（８ａ）に、他の１枚の上記帯状シート（１）の上記係止突条部（10）の１本の幅方向突条（９）の端部（９ａ）を係止させて、全体の幅方向寸法（Ｗ）を調節自在として１枚のシート状に連結するように構成した農業用マルチシートであって、
上記帯状シート（１）の表て面（11）と裏面（12）に、交互に、上記係止突条部（10）を配設したことを特徴とする農業用マルチシート。
【請求項４】
係合溝（８）を間に形成する２本の幅方向突条（９）を、長手方向に一定微小間隔寸法（ｍ）をもって突設して係止突条部（10）を形成し、該係止突条部（10）を、長手方向に所定ピッチ寸法（Ｐ1 ）をもって順次配設した帯状シート（１）を、複数枚具備し、該複数枚の帯状シート（１）の長手方向の左右端縁部（５）を重ね合わせて、１枚の上記帯状シート（１）の上記係合溝（８）の端部（８ａ）に、他の１枚の上記帯状シート（１）の上記係止突条部（10）の１本の幅方向突条（９）の端部（９ａ）を係止させて、全体の幅方向寸法（Ｗ）を調節自在として１枚のシート状に連結するように構成した農業用マルチシートであって、
上記複数枚の帯状シート（１）の内、畝（Ｇ）に被せた使用状態で中央寄りの該帯状シート（１）の端縁部（５）が、側方寄りの隣の上記帯状シート（１）の下面（７）に重なるように連結させて、畝（Ｇ）に被せた使用状態で受け口状にスリット（４）を形成するように構成したことを特徴とするマルチシート。
【請求項５】
係合溝（８）を間に形成する２本の幅方向突条（９）を、長手方向に一定微小間隔寸法（ｍ）をもって突設して形成した係止突条部（10）、及び、独立係止突条部（13）を有する帯状シート（１）を、複数枚具備し、該複数枚の帯状シート（１）の長手方向の左右端縁部（５）を重ね合わせて、１枚の上記帯状シート（１）の上記係合溝（８）に、他の１枚の上記帯状シート（１）の上記独立係止突条部（13）を係止させて、全体の幅方向寸法（Ｗ）を調節自在として１枚のシート状に連結するように構成した農業用マルチシートであって、
上記帯状シート（１）の一面（14）に長手方向に所定ピッチ寸法（Ｐ3 ）をもって順次独立係止突条部（13）を突設するとともに、該帯状シート（１）の他面（15）に長手方向に上記所定ピッチ寸法（Ｐ3 ）をもって順次上記係止突条部（10）を突設し、
上記複数枚の帯状シート（１）の内、畝（Ｇ）に被せた使用状態で中央寄りの該帯状シート（１）の端縁部（５）が、側方寄りの隣の上記帯状シート（１）の下面（７）に重なるように連結させて、畝（Ｇ）に被せた使用状態で受け口状にスリット（４）を形成するように構成したことを特徴とするマルチシート。
【請求項６】
係止凹部（16）及び係止凸部（17）を有する帯状シート（１）を、複数枚具備し、該複数枚の帯状シート（１）の長手方向の左右端縁部（５）を重ね合わせて、１枚の上記帯状シート（１）の上記係止凹部（16）に、他の１枚の上記帯状シート（１）の上記係止凸部（17）を係止させて、全体の幅方向寸法（Ｗ）を調節自在として１枚のシート状に連結するように構成した農業用マルチシートであって、
上記帯状シート（１）の一面（14）の左右両端縁部（５）に長手方向に所定ピッチ寸法（Ｐ5 ）をもって順次係止凸部（17）を突設するとともに、該帯状シート（１）の他面（15）の左右両端縁部（５）に長手方向に上記所定ピッチ寸法（Ｐ5 ）をもって順次上記係止凸部（17）が係止可能な係止凹部（16）を形成する被係止凸部（18）を突設し、
上記複数枚の帯状シート（１）の内、畝（Ｇ）に被せた使用状態で中央寄りの該帯状シート（１）の端縁部（５）が、側方寄りの隣の上記帯状シート（１）の下面（７）に重なるように連結させて、畝（Ｇ）に被せた使用状態で受け口状にスリット（４）を形成するように構成したことを特徴とするマルチシート。
【考案の詳細な説明】
【技術分野】
【０００１】
本考案は、農業用マルチシートに関する。
【背景技術】
【０００２】
一般に、トマト、茄子等の作物は、畑の畝に植え付けられて栽培される。そして、これらの作物を栽培する場合、畝の表面には、ポリエチレンや塩化ビニール等の薄膜状の樹脂材料から形成された農業用マルチシートが被覆される。農業用マルチシートは、畝が乾燥しすぎるのを防いで、作物を保護する機能を有する。従来では、農業用マルチシートの形状は単なる１枚のシート状であったが、近年、種々の構造のものが提案されている（例えば、特許文献１参照）。
特許文献１では、マルチシート本体の開孔部分の表面に沿って、さらに他の補助シートを少なくともこの開孔部分で取外し可能に重ねて設けて構成した農業用マルチシートが開示されている。
【特許文献１】実開平７−３９３７９号公報
【考案の開示】
【考案が解決しようとする課題】
【０００３】
しかしながら、上記特許文献１を含む従来の農業用マルチシートは、畝の表面を全体的に覆うものであった。また、マルチシートを使用する際には、作物を外部へ露出させるためにマルチシートに孔を形成するが、この孔は小さなものであった。このため、従来では、マルチシートの使用状態において、作物が根から水を吸収する等で畝の水分が減少した場合に、外部から畝に水分を供給するのが困難であった。また、従来では、マルチシートの使用状態において畝に肥料を与えることも困難であった。
【０００４】
そこで、本考案は、使用状態でも水分や肥料を畝に容易に供給し得る農業用マルチシートを提供することを目的とする。特に、畝の形状や大きさに適応させて全体の幅方向寸法を調節自在な農業用マルチシートを提供することを目的とする。また、量産が容易で安価な農業用マルチシートを提供することを他の目的とする。
【課題を解決するための手段】
【０００５】
そこで、本考案に係る農業用マルチシートは、係止部を有する帯状シートと、被係止部を有する帯状シートをもって、複数枚の帯状シートを具備し、該複数枚の帯状シートの長手方向の左右端縁部を重ね合わせて、１枚の上記帯状シートの上記被係止部に、他の１枚の上記帯状シートの係止部を係止させて、全体を１枚のシート状に連結するように構成した農業用マルチシートであって、帯状シートの枚数の増減、又は、係止部と被係止部の係止位置の調節により、全体の幅方向寸法を調節自在に構成したものである。
【０００６】
また、係合溝を間に形成する２本の幅方向突条を、長手方向に一定微小間隔寸法をもって突設して係止突条部を形成し、該係止突条部を、長手方向に所定ピッチ寸法をもって順次配設した帯状シートを、複数枚具備し、該複数枚の帯状シートの長手方向の左右端縁部を重ね合わせて、１枚の上記帯状シートの上記係合溝の端部に、他の１枚の上記帯状シートの上記係止突条部の１本の幅方向突条の端部を係止させて、全体の幅方向寸法を調節自在として１枚のシート状に連結するように構成したものである。
【０００７】
また、係合溝を間に形成する２本の幅方向突条を、長手方向に一定微小間隔寸法をもって突設して係止突条部を形成し、該係止突条部を、長手方向に所定ピッチ寸法をもって順次配設した帯状シートを、複数枚具備し、該複数枚の帯状シートの長手方向の左右端縁部を重ね合わせて、１枚の上記帯状シートの上記係合溝の端部に、他の１枚の上記帯状シートの上記係止突条部の１本の幅方向突条の端部を係止させて、全体の幅方向寸法を調節自在として１枚のシート状に連結するように構成した農業用マルチシートであって、上記帯状シートの表て面と裏面に、交互に、上記係止突条部を配設したものである。
【０００８】
また、係合溝を間に形成する２本の幅方向突条を、長手方向に一定微小間隔寸法をもって突設して係止突条部を形成し、該係止突条部を、長手方向に所定ピッチ寸法をもって順次配設した帯状シートを、複数枚具備し、該複数枚の帯状シートの長手方向の左右端縁部を重ね合わせて、１枚の上記帯状シートの上記係合溝の端部に、他の１枚の上記帯状シートの上記係止突条部の１本の幅方向突条の端部を係止させて、全体の幅方向寸法を調節自在として１枚のシート状に連結するように構成した農業用マルチシートであって、上記複数枚の帯状シートの内、畝に被せた使用状態で中央寄りの該帯状シートの端縁部が、側方寄りの隣の上記帯状シートの下面に重なるように連結させて、畝に被せた使用状態で受け口状にスリットを形成するように構成したものである。
【０００９】
また、係合溝を間に形成する２本の幅方向突条を、長手方向に一定微小間隔寸法をもって突設して形成した係止突条部、及び、独立係止突条部を有する帯状シートを、複数枚具備し、該複数枚の帯状シートの長手方向の左右端縁部を重ね合わせて、１枚の上記帯状シートの上記係合溝に、他の１枚の上記帯状シートの上記独立係止突条部を係止させて、全体の幅方向寸法を調節自在として１枚のシート状に連結するように構成した農業用マルチシートであって、上記帯状シートの一面に長手方向に所定ピッチ寸法をもって順次独立係止突条部を突設するとともに、該帯状シートの他面に長手方向に上記所定ピッチ寸法をもって順次上記係止突条部を突設し、上記複数枚の帯状シートの内、畝に被せた使用状態で中央寄りの該帯状シートの端縁部が、側方寄りの隣の上記帯状シートの下面に重なるように連結させて、畝に被せた使用状態で受け口状にスリットを形成するように構成したものである。
【００１０】
また、係止凹部及び係止凸部を有する帯状シートを、複数枚具備し、該複数枚の帯状シートの長手方向の左右端縁部を重ね合わせて、１枚の上記帯状シートの上記係止凹部に、他の１枚の上記帯状シートの上記係止凸部を係止させて、全体の幅方向寸法を調節自在として１枚のシート状に連結するように構成した農業用マルチシートであって、上記帯状シートの一面の左右両端縁部に長手方向に所定ピッチ寸法をもって順次係止凸部を突設するとともに、該帯状シートの他面の左右両端縁部に長手方向に上記所定ピッチ寸法をもって順次上記係止凸部が係止可能な係止凹部を形成する被係止凸部を突設し、上記複数枚の帯状シートの内、畝に被せた使用状態で中央寄りの該帯状シートの端縁部が、側方寄りの隣の上記帯状シートの下面に重なるように連結させて、畝に被せた使用状態で受け口状にスリットを形成するように構成したものである。
【考案の効果】
【００１１】
本考案の農業用マルチシートによれば、使用状態でも水分や肥料を畝に容易に供給し得る。特に、全体の幅方向寸法を調節して畝の形状や大きさに適応させることができる。
【考案を実施するための最良の形態】
【００１２】
図１・図２は、本考案の第１の実施の形態の使用状態を示す。この農業用マルチシートは、トマト、茄子等の作物Ｓを栽培する畑Ｈの畝Ｇに被覆状に設置される。本考案の農業用マルチシートは、係止部２を有する帯状シート１と、被係止部３を有する帯状シート１をもって、複数枚の帯状シート１を具備する。帯状シート１は、例えば、ポリエチレンや塩化ビニル等の合成樹脂製の薄膜から成る。
【００１３】
複数枚の帯状シート１の内、畝Ｇに被せた使用状態で中央寄りの帯状シート１の端縁部５が、側方寄りの隣の帯状シート１の下面７（裏面12）に重なるように連結して、畝Ｇに被せた使用状態で受け口状にスリット４を形成するように構成されている。水や液体肥料等を、図２の矢印Ｘのように、畝Ｇに容易に供給することができる。６は作物生出用孔を示す。
【００１４】
具体的には、複数枚の帯状シート１の長手方向の左右端縁部５が重ね合わさり、１枚の帯状シート１の被係止部３に、他の１枚の帯状シート１の係止部２が係止して、全体が１枚のシート状に連結するように構成されている。そして、帯状シート１の枚数の増減、又は、係止部２と被係止部３の係止位置の調節により、全体の幅方向寸法Ｗ（図３参照）が調節自在に構成されている。
【００１５】
さらに具体的には、図３・図４に示すように、係合溝８（被係止部３）を間に形成する２本の幅方向突条９（係止部２）を、長手方向に一定微小間隔寸法ｍをもって突設して係止突条部10を形成し、この係止突条部10を、長手方向に所定ピッチ寸法Ｐ1 をもって順次配設した帯状シート１を、複数枚具備する。帯状シート１の表て面11と裏面12に、交互に、係止突条部10が配設されている。そして、複数枚の帯状シート１の長手方向の左右端縁部５を重ね合わせて、１枚の帯状シート１の係合溝８の端部８ａに、他の１枚の帯状シート１の係止突条部10の１本の幅方向突条９の端部９ａを係止させて、全体の幅方向寸法Ｗを調節自在として１枚のシート状に連結するように構成されている。
【００１６】
図５・図６は、第２の実施の形態を示す。帯状シート１の表て面11と裏面12の対応する位置に、係止突条部10が配設されている。その他の構成は、第１の実施の形態と同様である。
【００１７】
図７・図８は、第３の実施の形態を示す。係合溝８（被係止部３）を間に形成する２本の幅方向突条９を、長手方向に一定微小間隔寸法ｍをもって突設して形成した係止突条部10、及び、独立係止突条部13（係止部２）を有する帯状シート１を、複数枚具備する。複数枚の帯状シート１の長手方向の左右端縁部５を重ね合わせて、１枚の帯状シート１の係合溝８に、他の１枚の帯状シート１の独立係止突条部13を係止させて、全体の幅方向寸法Ｗを調節自在として１枚のシート状に連結するように構成されている。帯状シート１の一面14に長手方向に所定ピッチ寸法Ｐ3 をもって順次独立係止突条部13が突設されるとともに、帯状シート１の他面15に長手方向に所定ピッチ寸法Ｐ3 をもって順次係止突条部10が突設されている。帯状シート１の一面14の独立係止突条部13と、他面15の係止突条部10が、交互に配設されている。その他の構成は、第１の実施の形態と同様である。
【００１８】
図９・図10は、第４の実施の形態を示す。帯状シート１の一面14の独立係止突条部13と、他面15の係止突条部10が、表裏の対応する位置に配設されている。その他の構成は、第３の実施の形態と同様である。
【００１９】
図11〜図13は、第５の実施の形態を示す。係止凹部16（被係止部３）及び係止凸部17（係止部２）を有する帯状シート１を、複数枚具備する。複数枚の帯状シート１の長手方向の左右端縁部５を重ね合わせて、１枚の帯状シート１の係止凹部16に、他の１枚の帯状シート１の係止凸部17を係止させて、全体の幅方向寸法Ｗを調節自在として１枚のシート状に連結するように構成されている。すなわち、帯状シート１の一面14の左右両端縁部５に長手方向に所定ピッチ寸法Ｐ5 をもって順次係止凸部17が突設されるとともに、帯状シート１の他面15の左右両端縁部５に長手方向に所定ピッチ寸法Ｐ5 をもって順次係止凸部17が係止可能な係止凹部16を形成する被係止凸部18が突設されている。
【００２０】
具体的には、図13に示すように、各帯状シート１は、幅方向に対応する一方の位置に係止凹部16（被係止凸部18）を有し、他方の位置に係止凸部17を有する。さらに、帯状シート１の長手方向の左右端縁部５には、係止凹部16と係止凸部17が、表裏に交互に配設されている。その他の構成は、第１の実施の形態と同様である。
【００２１】
図14・図15は、第６の実施の形態を示す。各帯状シート１は、幅方向に対応する位置に係止凹部16（被係止凸部18）を有するとともに、幅方向に対応する位置に係止凸部17を有する。その他の構成は、第５の実施の形態と同様である。
【００２２】
図16〜図18は、第７の実施の形態を示す。中央の帯状シート１とその他の帯状シート１の係止凹部16と係止凸部17の配置が異なる。すなわち、図17に示すように、中央の帯状シート１は、表て面11に係止凹部16を有する。具体的には、帯状シート１の長手方向の左右端縁部５に所定ピッチ寸法Ｐ5 をもって順次係止凹部16を有するとともに、幅方向に対応する位置に係止凹部16を有する。そして、図18に示すように、中央以外の帯状シート１は、長手方向の左右端縁部５の一方の表て面11に係止凹部16を有するとともに、長手方向の左右端縁部５の他方の裏面12（図12参照）に係止凸部17を有する。さらに、係止凹部16と係止凸部17は、幅方向に対応する位置に配設されている。その他の構成は、第５の実施の形態と同様である。
【００２３】
なお、本考案は、設計変更可能であって、例えば、各実施の形態に於て、係止部２と被係止部３を入れ換えた構造とするも良い。また、第５の実施の形態、第６の実施の形態、第７の実施の形態に於て、図19に示すように係止凸部17を別部材にて形成するとともに、図20に示すように係止凹部16を別部材にて形成したものと置換するも良い。この場合、例えば、合成樹脂から成る別部材を、帯状シート本体19に熱融着して製造する。
【００２４】
また、帯状シート１が５枚の場合を図示したが、帯状シート１の枚数は増減自在であって、例えば、３枚や７枚等とするも良い。また、第５の実施の形態、第６の実施の形態、第７の実施の形態に於て、係止凸部17と被係止凸部18を同一の形状のものとするも良い。すなわち、係止凸部17が係止凹部16を形成するも良い。例えば、第１の実施の形態、第２の実施の形態に於ける２本の係止突条部10と同一横断面形状で短寸のものを、係止凸部17及び被係止凸部18とするも良い。（係合溝８の部分が、係止凹部16に相当する。）
【００２５】
以上のように、本考案は、係止部２を有する帯状シート１と、被係止部３を有する帯状シート１をもって、複数枚の帯状シート１を具備し、複数枚の帯状シート１の長手方向の左右端縁部５を重ね合わせて、１枚の帯状シート１の被係止部３に、他の１枚の帯状シート１の係止部２を係止させて、全体を１枚のシート状に連結するように構成した農業用マルチシートであって、帯状シート１の枚数の増減、又は、係止部２と被係止部３の係止位置の調節により、全体の幅方向寸法Ｗを調節自在に構成したので、使用状態でも水分や肥料を畝Ｇに容易に供給し得る。特に、全体の幅方向寸法Ｗを調節して畝Ｇの形状や大きさに適応させることができる。また、量産が容易で安価である。
【００２６】
また、係合溝８を間に形成する２本の幅方向突条９を、長手方向に一定微小間隔寸法ｍをもって突設して係止突条部10を形成し、係止突条部10を、長手方向に所定ピッチ寸法Ｐ1 をもって順次配設した帯状シート１を、複数枚具備し、複数枚の帯状シート１の長手方向の左右端縁部５を重ね合わせて、１枚の帯状シート１の係合溝８の端部８ａに、他の１枚の帯状シート１の係止突条部10の１本の幅方向突条９の端部９ａを係止させて、全体の幅方向寸法Ｗを調節自在として１枚のシート状に連結するように構成したので、使用状態でも水分や肥料を畝Ｇに容易に供給し得る。特に、全体の幅方向寸法Ｗを無段階に調節して畝Ｇの形状や大きさに適応させることができる。また、量産が容易で安価である。
【００２７】
また、係合溝８を間に形成する２本の幅方向突条９を、長手方向に一定微小間隔寸法ｍをもって突設して係止突条部10を形成し、係止突条部10を、長手方向に所定ピッチ寸法Ｐ1 をもって順次配設した帯状シート１を、複数枚具備し、複数枚の帯状シート１の長手方向の左右端縁部５を重ね合わせて、１枚の帯状シート１の係合溝８の端部８ａに、他の１枚の帯状シート１の係止突条部10の１本の幅方向突条９の端部９ａを係止させて、全体の幅方向寸法Ｗを調節自在として１枚のシート状に連結するように構成した農業用マルチシートであって、帯状シート１の表て面11と裏面12に、交互に、係止突条部10を配設したので、使用状態でも水分や肥料を畝Ｇに容易に供給し得る。特に、全体の幅方向寸法Ｗを無段階に調節して畝Ｇの形状や大きさに適応させることができる。また、帯状シート１の裏表に関係なく、帯状シート１を連結することができる。また、量産が容易で安価である。
【００２８】
また、係合溝８を間に形成する２本の幅方向突条９を、長手方向に一定微小間隔寸法ｍをもって突設して係止突条部10を形成し、係止突条部10を、長手方向に所定ピッチ寸法Ｐ1 をもって順次配設した帯状シート１を、複数枚具備し、複数枚の帯状シート１の長手方向の左右端縁部５を重ね合わせて、１枚の帯状シート１の係合溝８の端部８ａに、他の１枚の帯状シート１の係止突条部10の１本の幅方向突条９の端部９ａを係止させて、全体の幅方向寸法Ｗを調節自在として１枚のシート状に連結するように構成した農業用マルチシートであって、複数枚の帯状シート１の内、畝Ｇに被せた使用状態で中央寄りの帯状シート１の端縁部５が、側方寄りの隣の帯状シート１の下面７に重なるように連結させて、畝Ｇに被せた使用状態で受け口状にスリット４を形成するように構成したので、使用状態でも水分や肥料を畝Ｇに容易に供給し得る。特に、全体の幅方向寸法Ｗを無段階に調節して畝Ｇの形状や大きさに適応させることができる。また、量産が容易で安価である。
【００２９】
また、係合溝８を間に形成する２本の幅方向突条９を、長手方向に一定微小間隔寸法ｍをもって突設して形成した係止突条部10、及び、独立係止突条部13を有する帯状シート１を、複数枚具備し、複数枚の帯状シート１の長手方向の左右端縁部５を重ね合わせて、１枚の帯状シート１の係合溝８に、他の１枚の帯状シート１の独立係止突条部13を係止させて、全体の幅方向寸法Ｗを調節自在として１枚のシート状に連結するように構成した農業用マルチシートであって、帯状シート１の一面14に長手方向に所定ピッチ寸法Ｐ3 をもって順次独立係止突条部13を突設するとともに、帯状シート１の他面15に長手方向に所定ピッチ寸法Ｐ3 をもって順次係止突条部10を突設し、複数枚の帯状シート１の内、畝Ｇに被せた使用状態で中央寄りの帯状シート１の端縁部５が、側方寄りの隣の帯状シート１の下面７に重なるように連結させて、畝Ｇに被せた使用状態で受け口状にスリット４を形成するように構成したので、使用状態でも水分や肥料を畝Ｇに容易に供給し得る。特に、全体の幅方向寸法Ｗを無段階に調節して畝Ｇの形状や大きさに適応させることができる。また、帯状シート１の表て面11と裏面12を容易に判別することができる。また、量産が容易で安価である。
【００３０】
また、係止凹部16及び係止凸部17を有する帯状シート１を、複数枚具備し、複数枚の帯状シート１の長手方向の左右端縁部５を重ね合わせて、１枚の帯状シート１の係止凹部16に、他の１枚の帯状シート１の係止凸部17を係止させて、全体の幅方向寸法Ｗを調節自在として１枚のシート状に連結するように構成した農業用マルチシートであって、帯状シート１の一面14の左右両端縁部５に長手方向に所定ピッチ寸法Ｐ5 をもって順次係止凸部17を突設するとともに、帯状シート１の他面15の左右両端縁部５に長手方向に所定ピッチ寸法Ｐ5 をもって順次係止凸部17が係止可能な係止凹部16を形成する被係止凸部18を突設し、複数枚の帯状シート１の内、畝Ｇに被せた使用状態で中央寄りの帯状シート１の端縁部５が、側方寄りの隣の帯状シート１の下面７に重なるように連結させて、畝Ｇに被せた使用状態で受け口状にスリット４を形成するように構成したので、使用状態でも水分や肥料を畝Ｇに容易に供給し得る。特に、帯状シート１の枚数を増減させることにより全体の幅方向寸法Ｗを調節して畝Ｇの形状や大きさに適応させることができる。また、量産が容易で安価である。
【図面の簡単な説明】
【００３１】
【図１】本考案の第１の実施の形態の使用状態を示す斜視図である。
【図２】図３のＡ−Ａの部分の説明用断面図である。
【図３】平面図である。
【図４】図３のＢ−Ｂ断面図である。
【図５】第２の実施の形態を示す平面図である。
【図６】図５のＣ−Ｃ断面図である。
【図７】第３の実施の形態を示す平面図である。
【図８】図７のＤ−Ｄ断面図である。
【図９】第４の実施の形態を示す平面図である。
【図１０】図９のＥ−Ｅ断面図である。
【図１１】第５の実施の形態を示す平面図である。
【図１２】図11のＦ−Ｆ断面図である。
【図１３】帯状シートを示す平面図である。
【図１４】第６の実施の形態を示す平面図である。
【図１５】帯状シートを示す平面図である。
【図１６】第７の実施の形態を示す平面図である。
【図１７】中央の帯状シートを示す平面図である。
【図１８】中央以外の帯状シートを示す平面図である。
【図１９】係止凸部を別部材にて形成した場合を示す要部拡大断面側面図である。
【図２０】被係止凸部を別部材にて形成した場合を示す要部拡大断面側面図である。
【符号の説明】
【００３２】
１  帯状シート
２  係止部
３  被係止部
４  スリット
５  端縁部
７  下面
８  係合溝
８ａ  端部
９  幅方向突条
９ａ  端部
10  係止突条部
11  表て面
12  裏面
13  独立係止突条部
14  一面
15  他面
16  係止凹部
17  係止凸部
18  被係止凸部
Ｇ  畝
ｍ  一定微小間隔寸法
Ｐ1 所定ピッチ寸法
Ｐ3 所定ピッチ寸法
Ｐ5 所定ピッチ寸法
Ｗ  幅方向寸法
【図１】
0003116023.tif 000003
【図２】
0003116023.tif 000004
【図３】
0003116023.tif 000005
【図４】
0003116023.tif 000006
【図５】
0003116023.tif 000007
【図６】
0003116023.tif 000008
【図７】
0003116023.tif 000009
【図８】
0003116023.tif 000010
【図９】
0003116023.tif 000011
【図１０】
0003116023.tif 000012
【図１１】
0003116023.tif 000013
【図１２】
0003116023.tif 000014
【図１３】
0003116023.tif 000015
【図１４】
0003116023.tif 000016
【図１５】
0003116023.tif 000017
【図１６】
0003116023.tif 000018
【図１７】
0003116023.tif 000019
【図１８】
0003116023.tif 000020
【図１９】
0003116023.tif 000021
【図２０】
0003116023.tif 000022